(57)【特許請求の範囲】
【請求項１】
ｎビットのパラレル情報信号を生成する処理部と、ｎビットのパラレル情報信号をシリアル信号に変換するシリアライザと、前記シリアル信号を非接触通信により外部出力する非接触通信部を備えた本体部と、
前記のシリアル信号をパラレル情報信号に復元するデシリアライザと、パラレル情報信号を表示出力する表示部と、
前記本体部に対し前記出力部を可動自在な状態で機械的に保持するとともに、前記のシリアル信号を通過させる伝送路を備えた結合部と、
を具備することを特徴とする情報処理装置。
【請求項２】
前記シリアライザは、パラレル情報信号をシリアル信号に変換するＰＳ変換部と、変換した後のシリアル信号をマンチェスタ符号化又は直流成分の低い符号に変換するエンコード部を備え、
前記非接触通信部は、前記前記の符号化した後のシリアル信号が通過するコイルを備え、対峙する外部のコイルとの電磁結合により信号を送出するように構成され、
前記デシリアライザは、前記結合部を通過する伝送路経由で受信したシリアル信号に対して前記エンコード部に対応する復号処理を行なうデコード部と、デコードした後のシリアル信号をパラレル信号に変換するＳＰ変換部を備える、
ことを特徴とする請求項１に記載の情報処理装置。
【請求項３】
前記結合部は、前記本体部から前記表示部を給電するための電源ラインをさらに挿通させ、
前記シリアライザは、パラレル情報信号をシリアル信号に変換するＰＳ変換部と、変換した後のシリアル信号をマンチェスタ符号化又は直流成分の低い符号に変換するエンコード部と、前記の符号化した後のシリアル信号を前記電源ラインに重畳する重畳部を備え、
前記非接触通信部は、前記の符号化した後のシリアル信号が通過するコイルを備え、対峙する外部のコイルとの電磁結合により信号を送出するように構成され、
前記デシリアライザは、前記電源ラインからシリアル信号を分離する分離部と、前記の分離したシリアル信号に対して前記エンコード部に対応する復号処理を行なうデコード部と、デコードした後のシリアル信号をパラレル信号に変換するＳＰ変換部を備える、
ことを特徴とする請求項１に記載の情報処理装置。
【請求項４】
請求項１に記載の情報処理装置の本体部に装備された非接触通信部との間で信号伝送を行なう伝送装置であって、
前記情報処理装置の本体部から送出されたシリアル信号を読み取る非接触通信部と、
前記のシリアル信号をパラレル情報信号に復元するデシリアライザと、
前記のパラレル信号を所定の通信プロトコルに則って外部出力するインターフェースと、
を具備することを特徴とする伝送装置。
【請求項５】
前記デシリアライザは、前記非接触通信部で受信したシリアル信号に対して前記エンコード部に対応する復号処理を行なうデコード部と、デコードした後のシリアル信号をパラレル信号に変換するＳＰ変換部を備える、
ことを特徴とする請求項４に記載の伝送装置。
【請求項６】
前記非接触通信部は、コイルを備え、前記情報処理装置側の対峙するコイルとの電磁結合に基づいてシリアル情報信号の読み取りを行ない、
前記デシリアライザは、前記コイルで受信したシリアル信号に対して前記エンコード部に対応する復号処理を行なうデコード部と、デコードした後のシリアル信号をパラレル信号に変換するＳＰ変換部を備える、
ことを特徴とする請求項４に記載の伝送装置。
【請求項７】
本体部及び表示部からなる情報処理装置と表示装置間で情報信号を伝送する伝送システムであって、
前記本体部内で生成したパラレル情報信号をシリアル信号に変換するシリアライザと、
前記シリアル信号を非接触通信により前記本体部から外部へ出力する非接触送信部と、
前記非接触送信部からシリアルの情報信号を読み取るとともに元のパラレル情報信号に復元して、前記表示装置に出力する情報信号読取装置と、
を具備することを特徴とする伝送システム。
【請求項８】
前記シリアライザは、パラレル情報信号をシリアル信号に変換するＰＳ変換部と、変換した後のシリアル信号をマンチェスタ符号化又は直流成分の低い符号に変換するエンコード部を備え、
前記非接触送信部は、前記前記の符号化した後のシリアル信号が通過するコイルを備え、対峙する外部のコイルとの電磁結合により信号を送出するように構成され、
前記情報信号読取装置は、前記情報処理装置側の非接触送信部との電磁結合により情報信号を読み取るためのコイルと、前記コイルで受信したシリアル信号に対して前記エンコード部に対応する復号処理を行ない、パラレル信号に変換するデシリアライザを備える、
ことを特徴とする請求項７に記載の伝送システム。
【請求項９】
前記情報処理装置の本体部と表示部はシリアル信号を通過させる伝送路を備えた結合部によって可動自在な状態で機械的に保持され、
前記シリアライザでシリアル化した情報信号を前記結合部内の伝送路を介して前記表示部に伝送し、
前記表示部は、受信したシリアル信号をパラレル情報信号に復元して表示出力する、
ことを特徴とする請求項７に記載の伝送システム。
【請求項１０】
前記情報処理装置の本体部と表示部は結合部によって可動自在な状態で機械的に保持され、且つ、前記結合部は前記本体部から前記表示部を給電するための電源ラインを挿通させており、
前記シリアライザは、パラレル情報信号をシリアル信号に変換するＰＳ変換部と、変換した後のシリアル信号をマンチェスタ符号化又は直流成分の低い符号に変換するエンコード部と、前記の符号化した後のシリアル信号を前記電源ラインに重畳する重畳部を備え、
前記表示部は、前記電源ラインからシリアル信号を分離する分離部と、前記の分離したシリアル信号に対して前記エンコード部に対応する復号処理を行なうデコード部と、デコードした後のシリアル信号をパラレル信号に変換するＳＰ変換部からなるデシリアライザを備える、
ことを特徴とする請求項７に記載の伝送システム。
【発明の詳細な説明】
【技術分野】
【０００１】
本発明は、携帯電話機のように本体と本体に対しさまざまな位置及び姿勢をとる表示部を備えた情報処理装置、情報処理装置本体と表示部間で信号伝送を行なう伝送装置、並びに、情報処理装置本体からの表示信号を可動式の結合部を介して本体に取り付けられた表示部及び外部の表示装置に伝送する伝送システムに係り、特に、本体から表示部への表示信号などをシリアル化して伝送する情報処理装置、伝送装置、並びに伝送システムに関する。
【背景技術】
【０００２】
携帯電話は、電波による無線通信を利用することにより、移動しながらの通話を可能にした電話機である。携帯電話を持ち歩くことで、何時でも何処でも通話やメール送受信が可能であり、人々の生活スタイルに変貌をもたらした。
【０００３】
現在普及している多くの携帯電話機は、キーボードが装備された本体と、表示パネルを持つ蓋体からなるクラムシェル構造となっている。蓋体は例えば本体に対し回動自在にヒンジ結合され、蓋体を開くと受話器と同様な形状となり、通話者は顔の側部に添えればよい。本体と蓋体間の配線として例えばフレキシブル・ケーブルを利用することで、開閉操作を繰り返しても配線に与える負担を軽減し、断線の危険を少なくすることができる。
【０００４】
図７には、従来の携帯電話の構成例を示している。携帯電話１００は、表示部１０１（表示側）と、操作部１０３（本体側）と、その間の接続部１０２で構成される。接続部１０２は表示部１０１と操作部１０３を繋ぎ、例えば表示部１０１を１８０度回転することができる。ＢＢＰ（ベースバンド・プロセッサ）１０５は、携帯電話１００における通信制御及びアプリケーションを実行する回路モジュールである。このＢＢＰ１０５から液晶部１０４へのパラレル信号１０６が配線されており、その配線数ｎは例えば５０本前後になる。表示信号の伝送速度は表示部の解像度がＱＶＧＡ（Ｑｕａｒｔｅｒ  Ｖｉｄｅｏ  Ｇｒａｐｈｉｃ  Ａｒｒａｙ）で２００Ｍｂｐｓ程度となる。
【０００５】
配線数５０本程度のパラレル信号１０６は、可撓性を持つフレキシブル基板を用いて実装され、接続部１０２を通されている。例えば、フレキシブル基板上及びフレキシブル基板により折り畳み自在に接続されたプリント基板上にモノポール・アンテナを形成した携帯電話機について提案がなされており、ヒンジ部でフレキシブル基板を一巻きして通す構成の場合には、外部アンテナとモノポール・アンテナとの距離を遠ざける構成をとるようになっている（例えば、特許文献１を参照のこと）。
【０００６】
ところが最近の携帯電話では、通話を行なう以外に、デジタルカメラとして使う場合や、ワンセグ機能搭載により携帯テレビとして使う場合など、複数の利用形態があるため、表示パネルを備えた蓋体側を本体に対してさまざまな位置や姿勢をとる必要があり、本体と蓋体を繋ぐ結合部には複雑な動作が可能な機構が求められる。これに伴い、結合部にフレキシブル・ケーブルを通すことは困難となり、本体側のプロセッサから蓋体側の表示パネルへの表示制御信号など多数の信号線を通すための信頼性の高い配線方法が重要な技術的課題となってきている。
【０００７】
そこで、本体部から表示部を備えた蓋体部への配線本数を削減してヒンジなどの可動式の結合部の自由度と神聖性を向上するために、並びに、放射電磁雑音（Ｅｌｅｃｔｒｏｍａｇｎｅｔｉｃ  Ｉｎｔｅｒｆｅｒｅｎｃｅ）の観点から、表示信号をシリアル化して伝送する方法が多く採用されている。
【０００８】
図８には、シリアル伝送を用いた従来の携帯電話の構成例を示している。図７に示した携帯電話と大きく異なる点は、シリアライザ（ＳＥＲ）２０１、デシリアライザ（ＤＥＳ）２０２を設け、本体と蓋体間では表示信号をシリアルで伝送していることである。シリアライザ２０１は、ＢＢＰ１０５からのパラレルの表示信号をシリアル信号に変換する。一方、デシリアライザ２０２はシリアル信号を元のパラレル信号に復元する。シリアル信号２０３はＮＲＺ（Ｎｏｎ  Ｒｅｔｕｒｎ  ｔｏ  Ｚｅｒｏ）のデータだけ、又はデータ＋クロックの信号になり、その配線数ｊは図７のパラレル信号の配線数ｎより大幅に削減が可能である（ｊ≪ｎ）。また、配線数ｊは数本まで削減可能である。
【０００９】
ここで、シリアル信号２０３としては、一般的にＬＶＤＳ（Ｌｏｗ  Ｖｏｌｔａｇｅ  Ｄｉｆｆｅｒｅｎｔｉａｌ  Ｓｉｇｎａｌ）などの差動信号が用いられる。また、携帯電話の液晶ディスプレイの信号伝送用ケーブルとして利用可能な差動信号伝送ケーブルについて提案がなされている（例えば、特許文献２を参照のこと）。
【００１０】
図９には、シリアライザ２０１とデシリアライザ２０２間でシリアル伝送を行なうための機能的構成を模式的に示している。
【００１１】
シリアライザ２０１は、パラレル信号をシリアル信号に変換するＰＳ変換部４０１と、パラレル・データ用のクロック（Ｐ−ＣＬＫ）からシリアル・クロックを生成するＰＬＬ部４０２と、シリアル信号にヘッダなどの付加するエンコード部４０３と、送信タイミングを制御するタイミング部４０４と、ＬＶＤＳドライバ４０５で構成される。
【００１２】
一方、デシリアライザ２０２は、ＬＶＤＳレシーバ４０６と、ヘッダからデータの先頭を検出するデコード部４０７と、リファレンス・クロック（Ｒｅｆ．ＣＬＫ）を用いて受信データからクロックを抽出するクロック・リカバリ（ＣＲ）部４０８（クロックをデータと一緒に伝送しない場合）と、シリアル信号を元のパラレル信号に戻すＳＰ変換部４０９と、受信タイミングを制御するタイミング制御部４１０で構成される。
【００１３】
参照番号２０３はシリアル信号であり、ＬＶＤＳの差動信号が用いられる。このようにして、ＢＢＰ１０５からシリアライザ２０１に出力されたシリアル・データＰ−ＤＡＴＡとシリアル・データ用クロックＰ−ＣＬＫはシリアル信号２０３に変換され、デシリアライザ２０２で元のＰ−ＤＡＴＡ及びＰ−ＣＬＫに復元され、液晶部１０４に送られる。
【００１４】
ところで、最近の携帯電話部の表示部はより精細に高密度化してきている。これに伴い、細かい字や絵が見難くなってしまうことから、携帯電話の表示部を何とかテレビなどの大きな画面で見たいという要望がユーザから出て来ている。また、携帯電話をテレビ電話として使う場合、表示画面が小さいと、例えば家族全員で相手側の映像を見て楽しむということが難しい。
【００１５】
【特許文献１】ＷＯ０２／００３６６５号公報
【特許文献２】特開２００６−１９０８０号公報
【発明の開示】
【発明が解決しようとする課題】
【００１６】
本発明の目的は、本体から表示部への表示信号などをシリアル化して好適に伝送することができる、優れた情報処理装置、伝送装置、並びに伝送システム置を提供することにある。
【００１７】
本発明のさらなる目的は、シリアル化した表示信号を、テレビなどの大きな画面で表示出力することができる、優れた情報処理装置、伝送装置、並びに伝送システムを提供することにある。
【課題を解決するための手段】
【００１８】
本発明は、上記課題を参酌してなされたものであり、
ｎビットのパラレル情報信号を生成する処理部と、ｎビットのパラレル情報信号をシリアル信号に変換するシリアライザと、前記シリアル信号を非接触通信により外部出力する非接触通信部を備えた本体部と、
前記のシリアル信号をパラレル情報信号に復元するデシリアライザと、パラレル情報信号を表示出力する表示部と、
前記本体部に対し前記出力部を可動自在な状態で機械的に保持するとともに、前記のシリアル信号を通過させる伝送路を備えた結合部と、
を具備することを特徴とする情報処理装置である。なお、結合部を挿通するシリアル信号伝送路の一例として、ＬＶＤＳのような差動信号伝送路を挙げることができる。
【００１９】
非接触通信部は、例えば電磁結合を利用した非接触通信を行なうものとし、ＲＧＢ形式の表示信号などのｎビットの情報信号をシリアル化することで非接触通信による送信が可能である。この非接触通信部からデータ読み取りを行なう情報信号読取装置に近接させることで、情報信号読取装置からシリアル化された表示信号を読み取ることができる。そして、情報信号読取装置は、受信した表示信号を復号しさらに元のパラレル情報信号に復元して、アナログＲＧＢやＤＶＩといった所定のインターフェースに則って、カーナビゲーション装置やテレビに転送すれば、高精細の画像を大画面上で表示することができる。
【００２０】
本体部と表示部が結合部で可動な状態で保持された情報処理装置の具体例は携帯電話である。すなわち、本発明を適用した携帯電話は、配線のシリアル信号をマンチェスタ符号化し、コイルを付加するだけで、簡単、低コストに表示データを外部機器に伝送することが可能となる。したがって、携帯電話で録画したビデオやデジタル放送を家庭のテレビで再生が可能となる。
【００２１】
携帯電話の内部配線のシリアル化は、本来は製作者側にとってメリットが大きいがユーザにメリットをもたらすものではないのに対し、本発明によれば、携帯電話をテレビ電話として用いる場合において、カメラを携帯電話内蔵のものを用い、モニタとしてテレビを使用することが可能となるなど、内部配線のシリアル化によるメリットをユーザにももたらすことができる。
【００２２】
ここで、情報処理装置本体内のシリアライザは、パラレル情報信号をシリアル信号に変換するＰＳ変換部と、変換した後のシリアル信号をマンチェスタ符号化又は直流成分の低い符号に変換するエンコード部を備えている。また、同本体内の非接触通信部は、前記前記の符号化した後のシリアル信号が通過するコイルを備え、対峙する外部のコイルとの電磁結合により信号を送出するように構成されている。電磁結合では直流成分は伝送できないことから、マンチェスタ符号のように直流成分を含まない符号、若しくは直流成分を抑制したその他の符号にエンコードしてから非接触伝送を行なうことが好ましい。
【００２３】
一方、情報処理装置本体に対し結合部で取り付けられている表示部側のデシリアライザは、前記結合部を通過する伝送路経由で受信したシリアル信号に対して前記エンコード部に対応する復号処理を行なうデコード部と、デコードした後のシリアル信号をパラレル信号に変換するＳＰ変換部を備える。
【００２４】
また、情報信号読取装置側のデシリアライザは、同様に、前記非接触通信部で受信したシリアル信号に対して前記エンコード部に対応する復号処理を行なうデコード部と、デコードした後のシリアル信号をパラレル信号に変換するＳＰ変換部を備える。
【００２５】
また、情報処理装置本体と情報信号読取装置間で信号伝送を行なうための非接触通信手段として電磁結合の原理を応用した場合には、上述したように、シリアル化した情報信号をさらにマンチェスタ符号化又は直流成分の低い符号に変換するが、この場合には、電源ラインに表示信号を重畳させることができ、ＬＶＤＳのような差動信号伝送路を持つ必要がなくなる。
【００２６】
このような場合、情報処理装置本体のシリアライザは、パラレル情報信号をシリアル信号に変換するＰＳ変換部と、変換した後のシリアル信号をマンチェスタ符号化又は直流成分の低い符号に変換するエンコード部と、前記の符号化した後のシリアル信号を前記電源ラインに重畳する重畳部を備えればよい。これに対し、表示部側のデシリアライザは、前記電源ラインからシリアル信号を分離する分離部と、前記の分離したシリアル信号に対して前記エンコード部に対応する復号処理を行なうデコード部と、デコードした後のシリアル信号をパラレル信号に変換するＳＰ変換部を備えればよい。
【発明の効果】
【００２７】
本発明によれば、本体から表示部への表示信号などをシリアル化して好適に伝送することができる、優れた情報処理装置、伝送装置、並びに伝送システムを提供することができる。
【００２８】
また、本発明によれば、シリアル化した表示信号を、テレビなどの大きな画面で表示出力することができる、優れた情報処理装置、伝送装置、並びに伝送システムを提供することができる。
【００２９】
本発明を適用した携帯電話は、配線のシリアル信号をマンチェスタ符号化し、コイルを付加するだけで、簡単、低コストに表示データを外部機器に伝送することが可能となる。したがって、携帯電話で録画したビデオやデジタル放送を家庭のテレビで再生が可能となる。
【００３０】
携帯電話の内部配線のシリアル化は、本来は製作者側にとってメリットが大きいがユーザにメリットをもたらすものではなかった。これに対し、本発明によれば、携帯電話をテレビ電話として用いる場合において、カメラを携帯電話内蔵のものを用い、モニタとしてテレビを使用することが可能となるなど、内部配線のシリアル化によるメリットをユーザにももたらすことができる。
【００３１】
本発明のさらに他の目的、特徴や利点は、後述する本発明の実施形態や添付する図面に基づくより詳細な説明によって明らかになるであろう。
【発明を実施するための最良の形態】
【００３２】
以下、図面を参照しながら本発明の実施形態について詳解する。
【００３３】
図１には、本発明の一実施形態に係る伝送システムの構成を模式的に示している。図示の伝送システムは、携帯電話本体と、携帯電話本体に対し可動式の結合部を介して接続される表示部と、携帯電話本体が外部出力する表示信号を読み取る表示信号読取装置と、読み取られた表示信号を画面出力するテレビなどの表示装置で構成される。
【００３４】
携帯電話１００は、表示部１０１（表示側）と、操作部１０３（本体側）と、その間の接続部１０２で構成される。接続部１０２は表示部１０１と操作部１０３を繋ぎ、例えば表示部１０１を１８０度回転することができる。
【００３５】
ＢＢＰ（ベースバンド・プロセッサ）１０５は、携帯電話１００における通信制御及びアプリケーションを実行する回路モジュールである。このＢＢＰ１０５から液晶部１０４へのパラレル信号１０６が配線されており、その配線数ｎは例えば５０本前後になる。表示信号の伝送速度は表示部の解像度がＱＶＧＡで２００Ｍｂｐｓ程度となる。
【００３６】
操作部１０３から表示部１０１への表示信号の伝送にはシリアル伝送が適用される。操作部１０３にはシリアライザ２０１が装備されるとともに表示部１０１にはデシリアライザ２０２が装備されている。シリアライザ２０１は、ＢＢＰ１０５からのパラレルの表示信号をシリアル信号に変換する。一方、デシリアライザ２０２はシリアル信号を元のパラレル信号に復元する。シリアル信号２０３はＮＲＺのデータだけ、又はデータ＋クロックの信号になり、その配線数ｊは図１のパラレル信号の配線数ｎより大幅に削減が可能である（ｊ≪ｎ）。また、配線数ｊは数本まで削減可能である。シリアル信号２０３としては、一般的にＬＶＤＳなどの差動信号が用いられる。
【００３７】
また、操作部１０３には、外部機器との電磁結合を行なうためのコイル３０３が設けられており、電磁結合作用を利用した非接触通信を用いて、シリアライザ３０１によってシリアル化された表示信号を外部出力するようになっている。
【００３８】
電磁結合を行なうためには、直流まで帯域が延びているＮＲＺ信号では都合が悪い。そこで、シリアライザ３０１は、配線数ｊに削減されたシリアル信号を直流成分が無くなる符号化方式によりシリアル信号３０８に変換して伝送している。当然、デシリアライザ２０２も、直流成分が無くなる同じ符号化方式に対応している。シリアライザ２０１は、デシリアライザ２０２に映像信号を伝送するとともに、コイル３０３に対しても同じ映像信号を伝送する。
【００３９】
直流成分をなくす符号化方式の一例として、マンチェスタ符号が当業界で知られている。マンチェスタ符号は、２進値“０”を送るときはビット区間の中央でハイ・レベルからロー・レベルに変化させ、一方、２進値“１”を送るときは逆にビット区間の中央でロー・レベルからハイ・レベルに変化させる。言い換えれば、マンチェスタ符号は２倍の帯域に広げることで伝送信号のＤＣ成分をなくしている。マンチェスタ・コードは、直流成分を含まないこと、またクロックの抽出が容易であるという利点があり、電磁結合には同符号は適していると思料される。
【００４０】
携帯電話１００の表示画面をテレビ３０６やカーナビゲーション装置３０７の画面に表示出力するときには、携帯電話１００を表示信号読取装置３０４上に設置する。表示信号読取装置３０４内には、コイル３０３と対峙する場所にコイル３０５が配設されており、電磁誘導により携帯電話の表示信号を読み取り、テレビ３０６、カーナビゲーション装置３０７などにインターフェース可能な表示信号を出力する。インターフェースとしては、例えば、アナログＲＧＢや、パーソナル・コンピュータとディスプレイの接続に使われるデジタル・インターフェースのＤＶＩ（Ｄｉｇｉｔａｌ  Ｖｉｓｕａｌ  Ｉｎｔｅｒｆａｃｅ）などが考えられる。
【００４１】
このようにして、携帯電話１００を表示信号読取装置３０４の上に置くだけで、簡単に映像を外部表示装置で大きく見ることが可能となる。図２には、携帯電話１００を表示信号読取装置３０４の上に置いた様子を示している。同図では、操作部１０３に対し表示部１０１を開いたまま乗せた例を示しているが、節電のために閉じておいても構わない。但し、その場合は一般的には表示部１０１への表示はオフにされるので外部への表示データの伝送を行なうモード設定が必要になる。
【００４２】
図３には、シリアライザ３０１とデシリアライザ３０２間でシリアル伝送を行なうための構成を示している。
【００４３】
シリアライザ３０１は、パラレル信号をシリアル信号に変換するＰＳ変換部５０１と、パラレル・データ用のクロック（Ｐ−ＣＬＫ）からシリアル・クロックを生成するＰＬＬ部５０２と、シリアル信号にヘッダなどを付加してマンチェスタ符号化を行なうエンコード部５０３と、送信タイミングを制御するタイミング制御部５０４と、ＬＶＤＳドライバ５０５で構成される。
【００４４】
一方、デシリアライザ３０２は、ＬＶＤＳレシーバ５０６と、ヘッダからデータの先頭を検出し、マンチェスタ符号のデコードを行なうデコード部５０７と、リファレンス・クロック（Ｒｅｆ．ＣＬＫ）を用いて受信データからクロックを抽出するクロック・リカバリ部５０８と、シリアル信号を元のパラレル信号に戻すＳＰ変換部５０９と、受信タイミングを制御するタイミング制御部５１０で構成される。３０８はシリアル信号でＬＶＤＳの差動信号が用いられる。
【００４５】
このようにして、ＢＢＰ１０５からシリアライザ２０１に出力されたシリアル・データＰ−ＤＡＴＡとシリアル・データ用クロックＰ−ＣＬＫはシリアル信号３８０に変換され、デシリアライザ５０２で元のＰ−ＤＡＴＡ及びＰ−ＣＬＫに復元され、液晶部１０４に送られる。
【００４６】
さらに、エンコード部５０３でマンチェスタ符号化されたシリアル映像信号はドライバ５００経由でコイル３０３に送られ、コイル３０３とコイル３０５間の電磁結合により、表示信号読取装置３０４に送られる。
【００４７】
図４には、表示信号読取装置３０４の構成を示している。
【００４８】
同図中、参照番号３０５は、携帯電話１００側のコイル３０３と電磁結合を行なうコイル、６０１は差動レシーバ、６０２は増幅器である。増幅器６０２は、電磁結合により低下した信号レベルを増幅する。また、表示信号読取装置３０４は、図３に示したデシリアライザ３０２と同様に、ヘッダからデータの先頭を検出と、マンチェスタ符号のデコードを行なうデコード部５０７と、リファレンス・クロック（Ｒｅｆ．ＣＬＫ）を用いて受信データからクロックを抽出するクロック・リカバリ（ＣＲ）部５０８と、シリアル信号を元のパラレル信号に戻すＳＰ変換部５０９と、受信タイミングを制御するタイミング制御部５１０を備えている。インターフェース部６０３は、パラレル・データ（Ｐ−ＤＡＴＡ）、パラレル・データ用クロック（Ｐ−ＣＬＫ）を例えばアナログＲＧＢやＤＶＩに変換して、テレビ３０６やカーナビゲーション装置３０７などへのインターフェースが可能となる。
【００４９】
このようにして、携帯電話の液晶表示部のデータをテレビやカーナビゲーション装置などの大きな画面で見ることが可能となり利便性が向上する。
【００５０】
図５には、シリアライザ３０１とデシリアライザ３０２間でシリアル伝送を行なうための他の構成例を示している。
【００５１】
シリアライザ３０１は、パラレル信号をシリアル信号に変換するＰＳ変換部５０１と、パラレル・データ用のクロック（Ｐ−ＣＬＫ）からシリアル・クロックを生成するＰＬＬ部５０２と、シリアル信号にヘッダなどを付加してマンチェスタ符号化を行なうエンコード部５０３と、送信タイミングを制御するタイミング制御部５０４と、ドライバ５０５で構成される。
【００５２】
一方、デシリアライザ３０２は、レシーバ５０６と、ヘッダからデータの先頭を検出し、マンチェスタ符号のデコードを行なうデコード部５０７と、リファレンス・クロック（Ｒｅｆ．ＣＬＫ）を用いて受信データからクロックを抽出するクロック・リカバリ部５０８と、シリアル信号を元のパラレル信号に戻すＳＰ変換部５０９と、受信タイミングを制御するタイミング制御部５１０で構成される。
【００５３】
このようにして、ＢＢＰ１０５からシリアライザ２０１に出力されたシリアル・データＰ−ＤＡＴＡとシリアル・データ用クロックＰ−ＣＬＫはシリアル信号３８０に変換され、デシリアライザ５０２で元のＰ−ＤＡＴＡ及びＰ−ＣＬＫに復元され、液晶部１０４に送られる。
【００５４】
さらに、エンコード部５０３でマンチェスタ符号化されたシリアル映像信号はドライバ５００経由でコイル３０３に送られ、コイル３０３とコイル３０５間の電磁結合により、表示信号読取装置３０４に送られる。
【００５５】
図３に示した実施形態との主な相違点は、シリアル化された映像信号を、ＬＶＤＳの差動信号３０８ではなく、操作部１０３から表示部１０１への電源ラインに重畳して表示部３０２側に伝送している点にある。既に述べたように、コイル３０３から電磁結合によりシリアル信号を送出するため、エンコード部５０３ではマンチェスタ符号化のように直流成分のない（若しくは低い）符号を用いるので、これを利用して電源ラインに表示信号を重畳させることができる。
【００５６】
図５に示した例では、伝送線路として同軸ケーブル７０１を使用している。重畳部７０２では、電源に映像信号を重畳する。重畳部７０２は、基本的には映像信号はコンデンサで、電源はチョーク・コイルで結合させる。
【００５７】
表示部１０１に同軸ケーブル７０１で送られた両信号は、分離部７０３で、映像信号と電源に分離される。分離部７０３では、重畳部７０２と同様に、映像信号はコンデンサでＤＣカットし、電源はチョーク・コイルで映像信号をカットする。
【００５８】
図６には、同軸ケーブル７０１内の信号の周波数スペクトラムを示している。図中の参照番号７０５はマンチェスタ符号の周波数スペクトラムに相当する。マンチェスタ符号はＤＣ成分を持たないで（周知）、ＤＣと一緒に伝送できることが分かる。このようにして、１本の同軸ケーブルのみで電源と映像信号を操作部１０３から表示部１０１に渡すことが可能となる。当然のことながら、操作部１０３と表示部１０１間の配線は１本になり表示部１０１の可動性が高くなることから、複雑な動きが容易にすることが可能となる。
【産業上の利用可能性】
【００５９】
以上、特定の実施形態を参照しながら、本発明について詳解してきた。しかしながら、本発明の要旨を逸脱しない範囲で当業者が該実施形態の修正や代用を成し得ることは自明である。
【００６０】
本明細書では、携帯電話機に適用した実施携帯を中心に説明してきたが、本発明の要旨はこれに限定されるものではない。表示信号などのパラレル信号の内部配線をシリアル化するさまざまな情報機器に対して同様に本発明を適用することができる。
【００６１】
要するに、例示という形態で本発明を開示してきたのであり、本明細書の記載内容を限定的に解釈するべきではない。本発明の要旨を判断するためには、特許請求の範囲を参酌すべきである。
【図面の簡単な説明】
【００６２】
【図１】図１は、本発明の一実施形態に係る伝送システムの構成を模式的に示した図である。
【図２】図２は、携帯電話１００を表示信号読取装置３０４の上に置いた様子を示した図である。
【図３】図３は、シリアライザ３０１とデシリアライザ３０２間でシリアル伝送を行なうための構成を示した図である。
【図４】図４は、表示信号読取装置３０４の構成を示した図である。
【図５】図５は、シリアライザ３０１とデシリアライザ３０２間でシリアル伝送を行なうための他の構成例を示した図である。
【図６】図６は、同軸ケーブル７０１内の信号の周波数スペクトラムを示した図である。
【図７】図７は、従来の携帯電話の構成例を示した図である。
【図８】図８は、シリアル伝送を用いた従来の携帯電話の構成例を示した図である。
【図９】図９は、シリアライザ２０１とデシリアライザ２０２間でシリアル伝送を行なうための機能的構成を模式的に示した図である。
【符号の説明】
【００６３】
１００…携帯電話
１０１…表示部
１０２…接続部
１０３…操作部
１０４…液晶部
１０５…ＢＢＰ（ベースバンド・プロセッサ）
１０６…パラレル信号
２０１…シリアライザ
２０２…デシリアライザ
２０３…シリアル信号
３０１…シリアライザ
３０２…デシリアライザ
３０３…コイル
３０４…表示信号読取装置
３０５…コイル
３０６…テレビ
３０７…カーナビゲーション装置
５０１…ＰＳ変換部
５０２…ＰＬＬ部
５０３…エンコード部
５０４…タイミング制御部
５０５…ＬＶＤＳドライバ
５０６…ＬＶＤＳレシーバ
５０７…デコード部
５０８…クロック・リカバリ部
５０９…ＳＰ変換部
５１０…タイミング制御部
６０１…差動レシーバ
６０２…増幅器
６０３…インターフェース
７０１…同軸ケーブル
７０２…重畳部
７０３…分離部
【図２】
0004915363.tif 000002
【図３】
0004915363.tif 000003
【図４】
0004915363.tif 000004
【図５】
0004915363.tif 000005
【図６】
0004915363.tif 000006
【図７】
0004915363.tif 000007
【図８】
0004915363.tif 000008
【図９】
0004915363.tif 000009
【図１】
0004915363.tif 000010